(57)【要約】      （修正有）【課題】プライバシー性能を備えつつ室内側から室外側の光景を見ることができるプライバシーフィルムを提供する。【解決手段】プライバシーフィルム１０は、第１面１０Ａが室内側に配置され、第２面１０Ｂが接着層１６を介してガラス板１２の室内側面１２Ａに貼着されている。平滑面を有し、可視光線透過率が３０％以上、前方ヘーズが２０％以下、可視光線反射率が５％以上、後方ヘーズが５％以上であるプライバシーフィルム１０であって、平滑面とは、プライバシーフィルム１０の第１面１０Ａ又は第２面１０Ｂの表面粗さが１μｍ以下であることを指す。【選択図】図１
0003222486.tif 000002
【実用新案登録請求の範囲】
【請求項１】
平滑面を有し、可視光線透過率が３０％以上、前方ヘーズが２０％以下、可視光線反射率が５％以上、後方ヘーズが５％以上である、
プライバシーフィルム。
【請求項２】
可視光線透過率が８０％以下、前方ヘーズが０％以上、可視光線反射率が７０％以下、後方ヘーズが１００％以下である、
請求項１に記載のプライバシーフィルム。
【考案の詳細な説明】
【技術分野】
【０００１】
本考案は、プライバシーフィルムに関する。
【背景技術】
【０００２】
従来、室内のプライバシーを保護することを目的として、建屋の窓ガラスにプライバシーフィルム（目隠し用フィルムとも言う。）を貼着することが行われている。また、このようなプライバシーフィルムは、車内と車外とを仕切る車両用窓ガラスにも好適に採用されている。
【０００３】
上記のプライバシーフィルムとして、例えば特許文献１に開示された目隠し用フィルムは、プラスチックフィルムの一方の面にマット層を有している。このマット層は、バインダー樹脂と顔料とを含み、顔料は平均粒径１μｍ以上の大粒径顔料及び平均粒径１００ｎｍ以下の小粒径顔料を含み、小粒径顔料の含有量が大粒径顔料１００重量部に対し１０重量部以下の構成を有している。
【先行技術文献】
【特許文献】
【０００４】
【特許文献１】特開２０１２−１３９９５０号公報
【考案の概要】
【考案が解決しようとする課題】
【０００５】
しかしながら、特許文献１の目隠し用フィルムは、室外側から室内側の光景を見え難くするというプライバシー性能は備えているものの、室内側から室外側の光景を見ることができないという問題があった。
【０００６】
本考案は、このような事情に鑑みてなされたもので、プライバシー性能を備えつつ室内側から室外側の光景を見ることができるプライバシーフィルムを提供することを目的とする。
【課題を解決するための手段】
【０００７】
本考案の一形態は、本考案の目的を達成するために、平滑面を有し、可視光線透過率が３０％以上、前方ヘーズが２０％以下、可視光線反射率が５％以上、後方ヘーズが５％以上であるプライバシーフィルムを提供する。
【考案の効果】
【０００８】
本考案によれば、プライバシー性能を備えつつ室内側から室外側の光景を見ることができる。
【図面の簡単な説明】
【０００９】
【図１】実施形態に係るプライバシーフィルムがガラス板に貼着された窓の側断面図
【図２】実施形態に係るプライバシーフィルムが合わせガラスに備えられた窓の側面図
【図３】実施形態に係るプライバシーフィルムの構成例を示した図
【図４】実施例と比較例のプライバシーフィルムを評価した表図
【図５】室外側から見た図３のプライバシーフィルムの室外側正面図
【図６】室内側から見た図３のプライバシーフィルムの室内側正面図
【考案を実施するための形態】
【００１０】
以下、添付図面に従って本考案に係るプライバシーフィルムの好ましい実施形態を説明する。
【００１１】
まず、実施形態のプライバシーフィルムを説明する際に使用する用語の定義について説明する。
【００１２】
プライバシーフィルムの第１面とは、プライバシーフィルムの両面のうち室内側に向いた面を指し、第２面とは室外側に向いた面を指す。また、室内側から見た室外側の光景とは、室内にいる観察者がプライバシーフィルムを介して見える室外側の光景を指し、室外側から見た室内側の光景とは、室外にいる観察者がプライバシーフィルムを介して見える室内側の光景を指す。また、平滑面とは、プライバシーフィルム（透明基材を含まない）の第１面又は第２面の表面粗さＲａが１μｍ以下であることを指す。
【００１３】
可視光線透過率（％）とは、プライバシーフィルムが可視光線を通す割合であり、拡散されずに透過した光と、拡散されて透過した光の合計を指し、全光線透過率と同等である。可視光線透過率が大きくなるに従って、室内側から見る室外側の光景、及び室外側から見る室内側の光景がはっきりと見えるようになる。可視光線透過率は、例えば、ＩＳＯ０９０５０：２００３に準拠した方法によって測定されたものである。
【００１４】
前方ヘーズ（％）とは、第１面側から第２面側に透過する透過光のうち、前方散乱によって、入射光から０．０４４ｒａｄ（２．５°）以上それた透過光を百分率で示したものである。前方ヘーズが小さくなるに従って前方散乱成分が少なくなるので、室内側から見る室外側の光景がはっきりと見えるようになる。前方ヘーズは、例えば、ＩＳＯ１４７８２：１９９９に準拠した方法によって測定されたものである。
【００１５】
可視光線反射率（％）とは、第２面に入射した光のうち、第２面ならびに他の界面で反射する反射光の合計を百分率で示したものである。反射率が大きくなるに従って、室外側から室内側の光景が見え難くなる。可視光線反射率は、ＪＩＳ  Ｒ３１０６に規定された方法で測定されたものである。
【００１６】
後方ヘーズ（％）とは、第１面で反射する反射光のうち、散乱によって、正反射光から０．０４４ｒａｄ（２．５°）以上それた反射光を百分率で示したものである。後方ヘーズが大きくなるに従って反射光の散乱成分が多くなるので、室外側から室内側の光景が見え難くなる。後方ヘーズは、例えば、ＪＩＳ  Ｚ  ８７２２：２００９に準拠した方法によって測定されたものである。
【００１７】
図１は、実施形態に係るプライバシーフィルム１０が透明基材に相当するガラス板１２に貼着された窓ガラス１４の側断面図である。
【００１８】
図１によれば、プライバシーフィルム１０は、第１面１０Ａが室内側に配置され、第２面１０Ｂが接着層１６を介してガラス板１２の室内側面１２Ａに貼着されている。なお、実施形態では、透明基材としてガラス板１２を例示したが、これに限定されるものではなく、例えばアクリル樹脂又はポリカーボネート樹脂等の透明樹脂板を適用してもよい。
【００１９】
接着層１６としては、光学粘着シートを例示できる。また、光学粘着シートとしては、例えばＯＣＡ（Optical Clear Adhesive）を例示できる。これにより、可視光線の透過性を確保できるので、室内側から見る室外側の光景の視認性に影響を与えない。なお、接着層１６の厚さは、貼着機能が保たれる厚さであればよく、例えば、０．０１以上１．５ｍｍ以下が好ましく、０．０５〜１ｍｍがより好ましい。
【００２０】
実施形態のプライバシーフィルム１０は、平滑面を有し、可視光線透過率が３０％以上、前方ヘーズが２０％以下、可視光線反射率が５％以上、後方ヘーズが５％以上である。また、プライバシーフィルム１０は、可視光線透過率が８０％以下、前方ヘーズが０％以上、可視光線反射率が７０％以下、後方ヘーズが１００％以下であることが好ましい。
【００２１】
このような構成の実施形態のプライバシーフィルム１０によれば、可視光線透過率が３０％以上なので、室内側から見る室外側の光景が見易くなる。
【００２２】
また、前方ヘーズが２０％以下なので、室内側から室外側の光景がはっきりと見える。前方ヘーズは、１５％以下であってもよく１０％以下であってもよい。なお、特許文献１に開示された目隠しフィルムは、前方ヘーズに相当するヘーズが８９％以上のため、室内側から室外側の光景を見ることができない。
【００２３】
また、可視光線反射率が５％以上なので、室外側から室内側の光景が見え難くなり、プライバシー性能を確保できる。
【００２４】
更に、後方ヘーズが５％以上なので、室外側から室内側の光景が見え難くなり、プライバシー性能を確保できる。
【００２５】
したがって、実施形態のプライバシーフィルム１０によれば、可視光線透過率が３０％以上、前方ヘーズが２０％以下、可視光線反射率が５％以上、後方ヘーズが５％以上なので、プライバシー性能を備えつつ室内側から室外側の光景を見ることができる。
【００２６】
なお、上記のように構成された実施形態のプライバシーフィルム１０は、例えば、室内と室外との照度比が３倍以上の環境下で使用されることに適している。つまり、室内側が暗く室外側が明るい環境下であって、その照度比が３倍以上の環境下で使用された場合に、プライバシー性能と室内側から見る室外側の光景の視認性とがより高められる。
【００２７】
図２は、実施形態に係るプライバシーフィルム１０の他の使用例を示した断面図である。図２の使用例は、窓ガラス２０を構成する合わせガラス２２にプライバシーフィルム１０が備えられたものである。
【００２８】
図２に示す合わせガラス２２は、プライバシーフィルム１０の第１面１０Ａと第２面１０Ｂとを一対の中間膜２４、２４によって挟み込むとともに、中間膜２４、２４を一対のガラス板２６、２６によって挟み込むことにより構成される。中間膜２４としては、例えば、ＰＶＢ（Poly vinyl butyral）、ＥＶＡ（Ethylene-vinyl acetate）、ＣＯＰ（Cyclo Olefine polymer）又はアイオノマーが適用される。なお、合わせガラスの製造方法は公知であるので、ここではその説明を省略する。
【００２９】
図２に示す窓ガラス２０のように、一対の中間膜２４、２４によってプライバシーフィルム１０を挟み込む構成を採用することにより、プライバシーフィルム１０が外部に露出しないので、プライバシーフィルム１０の耐久性が向上する。
【００３０】
図３は、プライバシーフィルム１０の構成の一例を示したプライバシーフィルム１０の断面図である。
【００３１】
図３に示すように、プライバシーフィルム１０は、透明基材３０の上に形成され且つ表面に凹凸が形成されている第１の透明層３２と、第１の透明層３２の凹凸面に形成されたハーフミラー３４と、を有している。また、ハーフミラー３４の上には、凹凸を埋め込むように第２の透明層３６が形成されている。このとき、プライバシーフィルム１０の第１面１０Ａが室内側に配置され、第２面１０Ｂが室外側に配置されることが、透明基材３０によりプライバシーフィルム１０の耐久性を向上できる点で好ましい。
【００３２】
透明基材３０は、ガラスでもよく透明樹脂でもよい。透明基材３０を構成するガラスとしては、ソーダライムガラス、無アルカリガラスが好ましい。耐久性を向上させるため、化学強化、ハードコーティング等が行われたものであってもよい。また、透明基材３０を構成する透明樹脂としては、ポリカーボネート、ポリエチレンテレフタレートフィルム、ポリエチレンナフタレートフィルム、ＣＯＰのフィルム、ポリエステルフィルム等が好ましい。透明基材３０の可視光線透過率は３０％以上であり、また５０％以上がより好ましく、７０％以上がさらに好ましい。
【００３３】
透明基材３０の厚さは、基材としての耐久性が保たれる厚さのものを選択できる。例えば、透明基材３０の厚さは、０．０１ｍｍ以上であってもよく、０．０５ｍｍ以上であってもよく、０．１ｍｍ以上であってもよい。また、１０ｍｍ以下であってもよく、５ｍｍ以下であってもよく、０．５ｍｍ以下であってもよく、０．３ｍｍ以下であってもよく、０．１５ｍｍ以下であってもよい。
【００３４】
第１の透明層３２は、透明樹脂層であることが好ましい。透明樹脂としては、アクリル樹脂、エポキシ樹脂等の光硬化性樹脂、熱硬化性樹脂、ポリカーボネート等の熱可塑性樹脂が好ましい。第１の透明層３２の可視光線透過率は３０％以上であり、また５０％以上がより好ましく、７０％以上がさらに好ましい。
【００３５】
ハーフミラー３４は、金属膜、誘電体の単層、多層膜、又はそれらの組み合わせにより形成されており、ハーフミラー３４に入射した光の一部は透過し、他の一部は反射する。よって、ハーフミラー３４は、金属、金属酸化物、金属窒化物のうちのいずれかにより形成されていてもよい。ハーフミラー３４は、アルミニウム（Ａｌ）又は銀（Ａｇ）を含む金属材料により形成されることが好ましい。ハーフミラー３４は、金属薄膜からなる、又は酸化物膜、金属薄膜、酸化物膜の順に積層された膜構成からなることが好ましい。金属薄膜の厚みは１ｎｍ〜１００ｎｍ以下が好ましく、４ｎｍ〜２５ｎｍ以下がより好ましい。
【００３６】
第２の透明層３６は、透明樹脂層であることが好ましい。透明樹脂としては、第１の透明層３２におけるのと同様のものであってもよい。第１の透明層３２と同一の材料により構成されていても異なる材料により構成されていてもよいが、同一の材料により構成されていることが好ましい。第２の透明層３６の可視光線透過率も同様に３０％以上であり、また５０％以上がより好ましく、７０％以上がさらに好ましい。
【００３７】
第１の透明層３２と第２の透明層３６において、凹凸部分以外の厚みは、０．５μｍ以上５０μｍ以下であってもよい。
【００３８】
第１の透明層３２と第２の透明層３６は、それぞれの平均厚みの平板に同材料を加工した際に、前方ヘーズが２０％以下となる材料によって構成されているが、１５％以下がより好ましい。以上がプライバシーフィルム１０の構成の一例である。
【００３９】
ここで、実施例（例１〜３）及び比較例（例４〜６）を用いて本発明をさらに説明する。なお、実施例及び比較例においては、図３の構成のプライバシーフィルム１０を作製した。
【００４０】
［例１］
透明基材３０（厚さ０．０７５ｍｍのＰＥＴフィルム）の上に、ダイコート法によりＵＶ硬化性樹脂（アクリルモノマー）を含有する第１の透明層形成用組成物を塗布し、第１の透明層前駆層を得た。
【００４１】
次に、ランダムな凹凸（Ｒａ：１．２μｍ）が形成された基材シート（厚さ０．０７５ｍｍのＰＥＴフィルム）を準備し、第１の透明層前駆層の上に、前述の基材シートを、凹凸の形成されている側が第１の透明層前駆層と接するように配置した。この状態で、図３における基材シートの１０Ｂの側から１０００ｍＪのＵＶ光を第１の透明層前駆層に照射して、第１の透明層前駆層中のＵＶ硬化性樹脂を硬化させ、第１の透明層３２を形成した。
【００４２】
その後、基材シートを剥離することにより、透明フィルム３０上に、ランダムな凹凸を有する第１の透明層３２が形成された積層体が得られた。第１の透明層３２の表面上には、基材シートの凹凸が転写されていた。
【００４３】
上記で得られた凹凸上にスパッタリング法により、ハーフミラー３４として、Ａｌ層（厚さ９ｎｍ）を形成した。
【００４４】
上記で得られたハーフミラー３４上に、ダイコート法により前述の第１の透明層形成用組成物を塗布し、第２の透明層前駆層を得た。この状態で、１０００ｍＪのＵＶ光を第２の透明層前駆層に照射し、第２の透明層前駆層中のＵＶ硬化性樹脂を硬化させて、第２の透明層３６を形成した。これにより例１のプライバシーフィルム１０を得た。
【００４５】
［例２］
例１のハーフミラー３４の成膜条件を真空蒸着法に変更した以外は例１と同様にして、例２のプライバシーフィルム１０を得た。
【００４６】
［例３］
例１のハーフミラー３４の材質をＡｇ合金（ＡｇＰｄ）に変更し、厚さを２０ｎｍに変更した以外は例１と同様にして、例３のプライバシーフィルム１０を得た。
【００４７】
［例４］
例１のハーフミラー３４の作製工程において、ターゲット材料に印加する電圧と時間を変更した以外は例１と同様にして、例４のプライバシーフィルム１０を得た。
【００４８】
［例５］
例２のハーフミラー３４の作製工程において、ターゲット材料に印加する電圧と時間を変更し、さらに、ハーフミラー３４の厚さを９ｎｍに調整に変更した以外は例２と同様にして、例５のプライバシーフィルム１０を得た。
【００４９】
［例６］
例３のハーフミラー３４の作製工程において、ターゲット材料に印加する電圧と時間を変更した以外は例３と同様にして、例６のプライバシーフィルム１０を得た。
【００５０】
図４に示した表図によれば、実施例に相当する例１−３のプライバシーフィルムと、比較例に相当する例４−６のプライバシーフィルムとを用いて、室内側の目隠し度、つまり、室外側からの室内側の光景の見え難さと、室外側の透明度・視認性、つまり、室内側からの室外側の光景の見え易さとを視覚に基づいて評価した。具体的には、例１−６のプライバシーフィルムを図１のガラス板１２にそれぞれ貼着して上記の評価を実施した。さらに、例１−６のプライバシーフィルムの第１面および第２面が平滑面を有していることも確認した。
【００５１】
その結果、例１−３のプライバシーフィルムは、図５に示す窓ガラス１４の室外側正面図の如く、室外側から室内側を見た場合、ガラス板１２にプライバシーフィルム１０が貼着された矩形状のエリアＡでは、目隠し度が良好であり、室外側から室内側の光景を見ることができなかった。また、室内側から見た図６の窓ガラス１４の室内側正面図の如く、エリアＡであっても室外側の透明度・視認性が良好であり、室内側から室外側の光景を見ることができた。
【００５２】
以上の結果から、例１−３のプライバシーフィルム１０は、それぞれ可視光線透過率が３０％以上、前方ヘーズが２０％以下、可視光線反射率が５％以上、後方ヘーズが５％以上なので、室内側の目隠し度においても室外側の透明度・視認性においても良好であった。
【００５３】
これに対して、例４のプライバシーフィルムは、室内側から室外側の光景を見ることができなかった。この理由としては、可視光線透過率が３５％であり、後方ヘーズが７０％であるが、前方ヘーズが３０％であることが原因と考えられる。また、例５のプライバシーフィルムは、室外側から室内側の光景を見ることができた。この理由としては、可視光線透過率が３５％であり、前方ヘーズが５％であるが、後方ヘーズが４％であることが原因と考えられる。また、例６のプライバシーフィルムは、室内側から室外側の光景を見ることができなかった。この理由としては、前方ヘーズが５％であり、後方ヘーズが７０％であるが、可視光線透過率が２０％であることが原因と考えられる。
【００５４】
以上、本考案の実施形態について説明したが、本考案は、以上の例には限定されず、本考案の要旨を逸脱しない範囲において、各種の改良や変形を行ってもよいのはもちろんである。例えば、本考案のプライバシーフィルムを、映像が投影されるスクリーンとしても利用できる。
【符号の説明】
【００５５】
１０…プライバシーフィルム、１２…ガラス板、１４…窓ガラス、１６…接着層、２０…窓ガラス、２２…合わせガラス、２４…中間膜、２６…ガラス板、３０…透明基材、３２…第１の透明層、３４…ハーフミラー、３６…第２の透明層
【図１】
0003222486.tif 000003
【図２】
0003222486.tif 000004
【図３】
0003222486.tif 000005
【図４】
0003222486.tif 000006
【図５】
0003222486.tif 000007
【図６】
0003222486.tif 000008